(57)【要約】【課題】通常の薬液送給系に不具合が起きて薬液の送給が停止した場合に、迅速に回復作業を開始できると共に回復作業が行われている間も薬液の注入を継続できる薬液注入装置を提供する。【解決手段】薬液を滞留する薬液滞留槽３でオーバーフローした薬液を通常時送給管４Ｂを通じて薬液注入点Ｐへ送給し、送給状態検出器６が送給停止を検出した時は、報知装置７により管理者に報知し、制御装置８により切替弁５Ａを開いて薬液滞留槽３の底部から緊急時送液管５Ｄを通じて薬液注入点Ｐへ薬液を送液する。【効果】通常の薬液送給系に不具合が起きて薬液の送給が停止した場合に、迅速に回復作業を開始できると共に回復作業が行われている間も薬液の注入を継続できる。【選択図】  図１
2004321921.tif 000002
【特許請求の範囲】
【請求項１】
薬液注入点の上方に配置され薬液を滞留する薬液滞留槽と、前記薬液滞留槽に薬液を供給する薬液供給手段と、前記薬液滞留槽に滞留し所定液位よりオーバーフローした薬液を前記薬液注入点へ送給する通常時薬液送給手段と、前記薬液滞留槽の底部または底部近傍から前記薬液注入点へ前記薬液を自然流下で送液しうる緊急時送液手段と、前記通常時薬液送給手段による薬液送給が停止したことを検出する送給停止検出手段と、前記送給停止検出手段で送給停止を検出したことを報知する送給停止報知手段とを具備したことを特徴とする薬液注入装置。
【請求項２】
薬液を滞留する薬液滞留槽と、前記薬液滞留槽に薬液を供給する薬液供給手段と、前記薬液滞留槽に滞留し所定液位よりオーバーフローした薬液を前記薬液注入点へ送給する通常時薬液送給手段と、前記薬液滞留槽の底部または底部近傍から前記薬液注入点へ前記薬液を送液しうる緊急時送液手段と、前記通常時薬液送給手段による薬液送給が停止したことを検出する送給停止検出手段と、前記送給停止検出手段で送給停止を検出したことを報知する送給停止報知手段とを具備したことを特徴とする薬液注入装置。
【請求項３】
請求項１または請求項２に記載の薬液注入装置において、前記送給停止検出手段で送給停止を検出した時に前記緊急時送液手段を自動的に作動させる制御手段を具備したことを特徴とする薬液注入装置。
【請求項４】
請求項１から請求項３のいずれかに記載の薬液注入装置において、前記薬液供給手段は、前記薬液滞留槽の底部または底部近傍に薬液を供給することを特徴とする薬液注入装置。
【発明の詳細な説明】
【０００１】
【発明の属する技術分野】
本発明は、薬液注入装置に関し、さらに詳しくは、通常の薬液送給系に不具合が起こり送給が停止した場合に、迅速に回復作業を開始できると共に回復作業が行われている間も薬液の注入を継続できる薬液注入装置に関する。
【０００２】
【従来の技術】
従来、薬液貯蔵槽からポンプを用いて小出槽に上方から薬液を供給し、小出槽の底部から薬液注入点へ薬液を送給する薬液注入装置が知られている（例えば、特許文献１参照。）。
【０００３】
【特許文献１】
特開平１１−５７６８７号公報
【０００４】
【発明が解決しようとする課題】
上記従来の薬液注入装置では、例えばポンプが故障して小出槽への薬液の供給が停止しても、小出槽に滞留している分の薬液の注入は継続できる。
しかし、小出槽への薬液の供給が停止したことを検出し報知する手段を備えていないため、小出槽まで空になって薬液の注入が止まるまで気付かず、気付いた時点から回復作業を開始しても、回復作業の間は薬液の注入が停止してしまう問題点があった。
そこで、本発明の目的は、通常の薬液送給系に不具合が起こり送給が停止した場合に、迅速に回復作業を開始できると共に回復作業が行われている間も薬液の注入を継続できる薬液注入装置を提供することにある。
【０００５】
【課題を解決するための手段】
第１の観点では、本発明は、薬液注入点の上方に配置され薬液を滞留する薬液滞留槽と、前記薬液滞留槽に薬液を供給する薬液供給手段と、前記薬液滞留槽に滞留し所定液位よりオーバーフローした薬液を前記薬液注入点へ送給する通常時薬液送給手段と、前記薬液滞留槽の底部または底部近傍から前記薬液注入点へ前記薬液を自然流下で送液しうる緊急時送液手段と、前記通常時薬液送給手段による薬液送給が停止したことを検出する送給停止検出手段と、前記送給停止検出手段で送給停止を検出したことを報知する送給停止報知手段とを具備したことを特徴とする薬液注入装置を提供する。
上記第１の観点による薬液注入装置では、通常時は通常時薬液送給手段によって薬液滞留槽の所定液位よりオーバーフローした薬液が薬液注入点へ送給されている。薬液供給手段に不具合が起こると、オーバーフローがなくなり、薬液が送給されなくなる。すると、送給停止検出手段が送給停止を検出し、送給停止報知手段が報知するため、管理者は、直ちに回復作業を開始することが出来る。そして、手動で又は自動的に緊急時送液手段を作動させることで、薬液滞留槽の所定液位まで滞留している分だけ自然流下で薬液の注入を継続できる。かくして、回復作業が行われている間も薬液の注入を継続できる。
【０００６】
第２の観点では、本発明は、薬液を滞留する薬液滞留槽と、前記薬液滞留槽に薬液を供給する薬液供給手段と、前記薬液滞留槽に滞留し所定液位よりオーバーフローした薬液を前記薬液注入点へ送給する通常時薬液送給手段と、前記薬液滞留槽の底部または底部近傍から前記薬液注入点へ前記薬液を送液しうる緊急時送液手段と、前記通常時薬液送給手段による薬液送給が停止したことを検出する送給停止検出手段と、前記送給停止検出手段で送給停止を検出したことを報知する送給停止報知手段とを具備したことを特徴とする薬液注入装置。
上記第２の観点による薬液注入装置では、通常時は通常時薬液送給手段によって薬液滞留槽の所定液位よりオーバーフローした薬液が薬液注入点へ送給されている。薬液供給手段に不具合が起こると、オーバーフローがなくなり、薬液が送給されなくなる。すると、送給停止検出手段が送給停止を検出し、送給停止報知手段が報知するため、管理者は、直ちに回復作業を開始することが出来る。そして、手動で又は自動的に緊急時送液手段を作動させることで、薬液滞留槽の所定液位まで滞留している分だけ薬液の注入を継続できる。かくして、回復作業が行われている間も薬液の注入を継続できる。
【０００７】
第３の観点では、本発明は、上記構成の薬液注入装置において、前記送給停止検出手段で送給停止を検出した時に前記緊急時送液手段を自動的に作動させる制御手段を具備したことを特徴とする薬液注入装置を提供する。
上記第３の観点による薬液注入装置では、薬液供給手段に不具合が起こってオーバーフローがなくなり薬液が送給されなくなると、自動的に緊急時送液手段が作動し、薬液滞留槽の底部または底部近傍から薬液を送液する。従って、無注入の時間をなくすことが出来る。
【０００８】
第４の観点では、本発明は、上記構成の薬液注入装置において、前記薬液供給手段は、前記薬液滞留槽の底部または底部近傍に薬液を供給することを特徴とする薬液注入装置を提供する。
上記第４の観点による薬液注入装置では、薬液は、薬液滞留槽の底部または底部近傍に供給され、所定液位よりオーバーフローしており、薬液滞留槽内の薬液は常に入れ替わっている。このため、常に新しい薬液を送給することが出来る。
なお、薬液滞留槽に撹拌手段を設ければ、薬液滞留槽の上方から薬液を供給しても、常に新しい薬液を送給することが出来る。
【０００９】
【発明の実施の形態】
以下、図に示す実施の形態により本発明をさらに詳細に説明する。なお、これにより本発明が限定されるものではない。
【００１０】
−第１の実施形態−
図１は、第１の実施形態にかかる薬液注入装置１００を示す構成ブロック図である。
この薬液注入装置１００は、薬液を貯蔵した薬液貯蔵槽１と、薬液注入点Ｐの上方に配置された薬液滞留槽３と、薬液貯蔵槽１内の薬液を薬液滞留槽３の底部または底部近傍に供給するためのポンプ２Ａ，流量計２Ｂ，流量調節弁２Ｃおよび薬液供給管２Ｄと、通常時に薬液滞留槽３に滞留し所定液位よりオーバーフローした薬液を薬液注入点Ｐへ送給するオーバーフロー管４Ａおよび通常時薬液送給管４Ｂと、緊急時に薬液滞留槽３の底部または底部近傍から薬液注入点Ｐへ薬液を送液するための切替弁５Ａ，流量計５Ｂ，流量調節弁５Ｃおよび緊急時送液管５Ｄと、通常時薬液送給管４Ｂによる薬液送給状態を検出する送給状態検出器６と、送給状態検出器６で送給停止を検出したことを報知する報知装置７と、送給状態検出器６で送給停止を検出した時に切替弁５Ａを自動的に切り替えて緊急時送液管５Ｄから薬液を注入させる制御装置８とを具備している。
【００１１】
薬液注入点Ｐは、原水流路９に設けてある。原水流路９には、取水した湖川水，地下水，濾過や沈殿などの処理を施された水，他の薬品を混和された水，廃水などが流れている。
【００１２】
薬液は、水処理用薬液であり、例えばポリ塩化アルミニウム溶液，液体硫酸バンドなどの凝集剤や、苛性ソーダ溶液などのアルカリ剤や、次亜塩素酸ナトリウム溶液などの消毒剤である。
【００１３】
送給状態検出器６は、通常時薬液送給管４Ｂ中の薬液の流れの有無を検出する光電センサである。
【００１４】
図２は、薬液注入装置１００の動作の要部を示すフロー図である。
ステップＳ１では、ポンプ２Ａの運転を開始し、薬液貯蔵槽１から薬液滞留槽３への薬液の供給を開始する。
ステップＳ２では、通常時送給管４Ｂを経由しての薬液送給が開始されたことを送給状態検出器６で検出するまで待機し、薬液送給が開始されたことを検出したらステップＳ３へ進む。
ステップＳ３では、通常時送給管４Ｂを経由しての薬液送給が停止したことを送給状態検出器６で検出するまで待機し、薬液送給が停止したことを検出したらステップＳ４へ進む。
【００１５】
ステップＳ４では、制御装置８の制御により切替弁５Ａを開き、薬液滞留槽３の底部または底部近傍から薬液注入点Ｐへ自然流下で薬液を送液する。
ステップＳ５では、通常時送給管４Ｂを経由しての薬液送給が停止したことを管理者へ報知する。そして、終了する。
【００１６】
第１の実施形態にかかる薬液注入装置１００によれば、次の効果が得られる。
（１）薬液貯蔵槽１内の薬液が払底したり、ポンプ２Ａが故障したり、薬液供給管２Ｄが破損したりして、薬液滞留槽３へ薬液が供給されなくなり、通常時送給管４Ｂを通じての薬液送給が停止すると、その旨が直ちに管理者に報知されるので、迅速に管理者は回復作業を開始することが出来る。
（２）通常時送給管４Ｂを通じての薬液送給が停止すると、自動的に緊急時送液管５Ｄを通じて薬液が送液されるので、回復作業の間も薬液の注入を継続でき、薬液の注入が途切れない。
（３）薬液滞留槽３に滞留している薬液が常に入れ替わるため、常に新しい薬液を注入できる。
（４）薬液滞留槽３から自然流下で薬液を注入するため、回復作業中に電源を切っても薬液注入を継続できる。
【００１７】
−第２の実施形態−
図３は、第２の実施形態にかかる薬液注入装置２００を示す構成ブロック図である。
この薬液注入装置２００は、第１の実施形態にかかる薬液注入装置１００の切替弁５Ａ，流量計５Ｂおよび流量調節弁５Ｃの代わりに、ポンプ５Ｅを設けた構成である。
【００１８】
通常時送給管４Ｂを経由しての薬液送給が停止したことを送給状態検出器６で検出したら、制御装置８の制御によりポンプ５Ｅを作動させ、薬液滞留槽３の底部または底部近傍から薬液注入点Ｐへ薬液を送液する。
【００１９】
第２の実施形態にかかる薬液注入装置２００でも、第１の実施形態にかかる薬液注入装置１００の効果（１）〜（３）が得られる。
【００２０】
【発明の効果】
本発明の薬液注入装置によれば、通常の薬液送給系に不具合が起きて薬液の送給が停止した場合に、迅速に回復作業を開始できると共に回復作業が行われている間も薬液の注入を継続できる。
【図面の簡単な説明】
【図１】第１の実施形態にかかる薬液注入装置の構成ブロック図である。
【図２】第１の実施形態にかかる薬液注入装置の動作の要部を示すフロー図である。
【図３】第２の実施形態にかかる薬液注入装置の構成ブロック図である。
【符号の説明】
１                  薬液貯蔵槽
２Ａ                ポンプ
２Ｄ                薬液供給管
３                  薬液滞留槽
４Ａ                オーバーフロー管
４Ｂ                通常時送給管
５Ａ                切替弁
５Ｄ                緊急時送液管
５Ｆ                ポンプ
６                  送給状態検出器
７                  報知装置
８                  制御装置
９                  原水流路
１００，２００      薬液注入装置
Ｐ                  薬液注入点
【図１】
2004321921.tif 000003
【図２】
2004321921.tif 000004
【図３】
2004321921.tif 000005